(57)【要約】【課題】余分な応力がベルトに加わらないようにして曲線移動のマンコンベアに備えられる移動手摺りを提供する。【解決手段】移動手摺りは、乗客を輸送するマンコンベアの移動方向に移動するベルトを有し、上記マンコンベアに設けられる移動手摺りにおいて、上記移動方向に垂直な上記ベルトの断面は、互いに直交する長辺と短辺とを有し、上記ベルトは、上記マンコンベアの移動軌跡の水平成分が直線に沿った部分では上記長辺が水平に配設され、上記マンコンベアの移動軌跡の水平成分が曲線に沿った部分では上記長辺が水平から傾きをもつように配設される。また、上記長辺の傾きは、曲線の曲率が小さいほど大きい。【選択図】図４
2005306597.tif 000002
【特許請求の範囲】
【請求項１】
乗客を輸送するマンコンベアの移動方向に移動するベルトを有し、上記マンコンベアに設けられる移動手摺りにおいて、
上記移動方向に垂直な上記ベルトの断面は、互いに直交する長辺と短辺とを有し、
上記ベルトは、上記マンコンベアの移動軌跡の水平成分が直線に沿った部分では上記長辺が水平に配設され、上記マンコンベアの移動軌跡の水平成分が曲線に沿った部分では上記長辺が水平から傾きをもつように配設されることを特徴とする移動手摺り。
【請求項２】
上記長辺の傾きは、上記曲線の曲率が小さいほど大きいことを特徴とする請求項１に記載する移動手摺り。
【請求項３】
乗客を輸送するマンコンベアの移動方向に移動するベルトを有し、上記マンコンベアに設けられる移動手摺りにおいて、
上記ベルトは、上記マンコンベアの移動軌跡の水平成分が直線に沿った部分では上記長辺が第１の傾きをもつように配設され、上記マンコンベアの移動軌跡の水平成分が曲線に沿った部分では上記長辺が水平から上記第１の傾きより大きな第２の傾きをもつように配設されることを特徴とする移動手摺り。
【請求項４】
乗客を輸送するマンコンベアの移動方向に移動するベルトを有し、上記マンコンベアに設けられる移動手摺りにおいて、
上記移動方向に垂直な上記ベルトの断面は、互いに直交する長辺と短辺とを有し、
上記ベルトは、上記長辺方向の両端に加わる応力が異なる部分では上記応力の差が小さくなるように上記長辺が傾けられて配設されることを特徴とする移動手摺り。
【発明の詳細な説明】
【技術分野】
【０００１】
この発明は、エスカレータや動く歩道のようなマンコンベアに備えられた移動手摺りに関し、特に曲率半径の小さな曲線の沿って設けられた移動手摺りに関する。
【背景技術】
【０００２】
従来高速の動く歩道は、中央の固定レーンの両側に互いに反対方向に動く複数のレーンの動く歩道が平行かつ隣接して配置され、固定レーンから順次早くなるようにレーンの速度が設定されている。そして、高速に走行しているレーンから降りることを忘れていても安全であるように周回するように設けられている（例えば、特許文献１参照。）。
【０００３】
【特許文献１】特開昭６２−２９０６９２号公報
【発明の開示】
【発明が解決しようとする課題】
【０００４】
しかし、移動手摺りのベルトは、移動進行方向に対し上下にある程度の柔軟な曲げが可能であるが、移動進行方向に対し左右の曲げに対して亀裂が生じるなど不具合が発生するために、周回するように設けられたマンコンベアに移動手摺りを設置することは困難である。
また、移動手摺りを設置して無理矢理曲線移動させても、移動手摺りのベルトに加わる横方向の応力により劣化が早められるという問題がある。
【０００５】
この発明の目的は、余分な応力がベルトに加わらないようにして曲線移動のマンコンベアに備えられる移動手摺りを提供することである。
【課題を解決するための手段】
【０００６】
この発明に係わる移動手摺りは、乗客を輸送するマンコンベアの移動方向に移動するベルトを有し、上記マンコンベアに設けられる移動手摺りにおいて、上記移動方向に垂直な上記ベルトの断面は、互いに直交する長辺と短辺とを有し、上記ベルトは、上記マンコンベアの移動軌跡の水平成分が直線に沿った部分では上記長辺が水平に配設され、上記マンコンベアの移動軌跡の水平成分が曲線に沿った部分では上記長辺が水平から傾きをもつように配設される。
【発明の効果】
【０００７】
この発明に係わる移動手摺りの効果は、曲線移動するマンコンベアに備えられる移動手摺りのベルトが曲線移動に伴って曲げられても、水平からベルトが傾けられており、より曲げが容易なベルトの厚さ方向に曲げられるので、ベルトに加わる応力が小さい。特に、ベルトの耳部や横部に亀裂が発生して劣化が進むということが防止できることである。
【発明を実施するための最良の形態】
【０００８】
実施の形態．
図１は、この発明の実施の形態に係わる移動手摺りを上方から概観した概観図である。
図１に示す移動手摺り１は、エスカレータ、動く歩道などのマンコンベア２の左右両側に備えられており、左右１対の移動手摺り１からなる。この左右の移動手摺り１が備えられたマンコンベア２の移動軌跡は、入口部３から所定の長さの間直線移動し、それから引き続いて所定の曲率の曲線に沿って移動方向が９０度回転するように曲線移動し、その後出口部４まで再度直線移動する。この入口部３からの直線移動する部分の入口直線部５、曲線移動する部分を曲線部６、出口部４まで直線移動する部分を出口直線部７と称す。また、マンコンベア２は、水平に配置されているとして説明する。
入口直線部５および出口直線部７におけるマンコンベア２の移動軌跡は、その水平成分が直線に沿った軌跡である。一方、曲線部６におけるマンコンベア２の移動軌跡は、その水平成分が曲線に沿った軌跡である。このマンコンベア２は水平に配置されているので、移動軌跡の垂直成分は零である。
なお、このマンコンベア２の移動軌跡は、説明のための１例であり、一部に曲率が小さな曲線上に沿って移動する領域があるマンコンベア２にこの発明の移動手摺りも適用できる。また、水平に配置されたマンコンベア２を例に以下説明するが、斜めに配置され、乗客が昇降できるマンコンベア２でも同様である。
【０００９】
次に、曲線部６における移動手摺り１ついて説明する。移動手摺り１の任意の点における水平平面内の曲率は、その任意の点とその点から移動手摺り１の移動方向に少し離れた前後の２点とからなる３点から求まる。
図１に示す曲線部６における移動手摺り１を代表する５点で説明する。５点の曲率は、３つに分けられる。Ａ−Ａ断面線が移動手摺り１を断面する点ａとＥ−Ｅ断面線が移動手摺り１を断面する点ｅの曲率はともに大きく、ほぼ直線である。Ｃ−Ｃ断面線が移動手摺り１を断面する点ｃの曲率は小さく急カーブしている。Ｂ−Ｂ断面線が移動手摺り１を断面する点ｂとＤ−Ｄ断面線が移動手摺り１を断面する点ｄの曲率は点ｃの曲率よりも大きく緩やかにカーブしている。点ｃの曲線は、曲率中心点Ｏを中心とした曲線である。点ｂと点ｄの曲線は、曲率中心点Ｐを中心とした曲線である。
【００１０】
次に、このように移動するマンコンベア２の左右両側に備えられた移動手摺り１について説明する。図２、３、４は、それぞれＡ−Ａ断面線、Ｂ−Ｂ断面線、Ｃ−Ｃ断面線により断面された移動手摺り１の断面図である。なお、Ｄ−Ｄ断面線とＥ−Ｅ断面線により断面された断面図は、Ｂ−Ｂ断面線とＡ−Ａ断面線により断面された断面図と同様である。
図２に示すように、点ａにおける移動手摺り１は、下方に開いたＣ字状の断面形状を有し、無端なベルト１０、このベルト１０の移動を案内するハンドレール１１、ハンドレール１１を支持するデッキボード１２から構成されている。
ベルト１０は、下方に開いたＣ字状の断面形状をしている。この断面は、乗客の手が添えられる平たい部分と、その両側に延びる移動方向に垂直な方向への移動を抑制する横部および耳部とから構成されている。平たい部分は、ベルト１０の幅に相当する長辺と、その長辺と直交するベルト１０の厚さに相当する短辺とからなる略矩形形状である。ベルト１０は、乗客の手が添えられる上面１７に関し幅方向の曲げ強さが大きく、ある曲率になるまで曲げるためには大きな力が必要になる。一方、上面１７の厚さ方向の曲げ強さが小さく、ある曲率になるまで曲げても小さな力しか加わらない。長辺は上面１７面内に含まれる。
また、ベルト１０の幅方向への移動を抑制している横部や耳部にもベルト１０が幅方向に曲げられるとその部分に大きな力が加わり劣化する。
デッキボード１２の上面１３は、水平になるように配置されている。その上面１３から上方に垂直にハンドレール１１の支持部１４が縦立されている。
ハンドレール１１は、Ｔ字状の断面形状を有し、デッキボード１２から縦立する支持部１４とその支持部１４の上に固定され、ベルト１０を案内する案内部１５とからなる。
ベルト１０は、ハンドレール１１の案内部１５とそれを内側に包むように組み合わされている。
このようにマンコンベアの図示しない踏段の法線（図２のＸ−Ｘ線）に対して、デッキボード１２の上面１３、ハンドレール１１の案内部１５の上面１６およびベルト１０の上面１７がそれぞれ垂直になるように配置されている。
【００１１】
次に、図３に示すように、点ｂにおける移動手摺り１のデッキボード１２は、その上面１３の法線（図３のＹ−Ｙ線）がマンコンベア２の踏段の法線（Ｘ−Ｘ線）に対して所定の角度θ１度だけ点ｂの曲率中心がある方向に傾いている。
そして、ハンドレール１１の支持部１４は、デッキボード１２の上面１３から垂直に縦立されている。
このように点ｂにおける移動手摺り１は、マンコンベア２の踏段の法線（図３のＸ−Ｘ線）に対して、デッキボード１２の上面１３、ハンドレール１１の案内部１５の上面１６およびベルト１０の上面１７が第２の傾き（９０−θ１）度だけ傾くようにして配置されている。
【００１２】
次に、図４に示すように、点ｃにおける移動手摺り１のデッキボード１２は、その上面１３の法線（図４のＺ−Ｚ線）がマンコンベアの踏段の法線（Ｘ−Ｘ線）に対して所定の角度θ２度だけ点ｃの曲率中心がある方向に傾いている。
そして、ハンドレール１１の支持部１４は、デッキボード１２の上面１３から垂直に縦立されている。
このように点ｃにおける移動手摺り１は、マンコンベアの踏段の法線（図４のＸ−Ｘ線）に対して、デッキボード１２の上面１３、ハンドレール１１の案内部１５の上面１６およびベルト１０の上面１７が第３の傾き（９０−θ２）度だけ傾くようにして配置されている。
なお、上述において、点ａ、ｅでのベルト１０の平たい部分の長辺が水平になるようにベルト１０が配設された例について説明したが、ベルト１０の平たい部分の長辺が水平から第１の傾きを持つようにベルト１０を配設してもよい。
このときは、傾きの大きさが第１の傾き、第２の傾き、第３の傾きの順に大きくなるようにベルト１０を配設する。
【００１３】
次に、デッキボード１２の上面１３の法線のマンコンベアの踏段の法線に対する傾きについて説明する。点ｂにおいてはθ１度、点ｃにおいてはθ２度傾けられているが、傾きは、その点における曲率に反比例して設定されている。点ｂと点ｃの曲率は点ｃの方が小さいので、傾きは点ｃの傾きの方が大きくなるようになっている。
【００１４】
次に、この発明に係わる移動手摺りの動作について説明する。
図１に示すように、移動手摺りは露出部端から露出端部まで露出して図示しない移動手摺り駆動装置により支持レールに案内されて移動される。露出部端から点ａまでは移動手摺りが直線的に移動される。点ａから移動手摺りの上面が徐々に曲率中心側に傾きながら移動手摺りは曲線的に移動される。点ｃを通過させられると移動手摺りの上面が徐々に水平に戻るようにしながら移動手摺りは曲線的に移動される。点ｅではすでに移動手摺りの上面は水平に戻され、その後露出部端まで直線的に移動される。
【００１５】
このような移動手摺りは、曲線移動するマンコンベアに備えられたベルトが曲線移動に伴って曲げられても、ベルトが水平位置から傾けられることにより曲げが容易なベルトの厚さ方向に曲がるので、ベルトに加わる力が小さくてすむ。特に、ベルトの耳部や横部に亀裂が発生して劣化が進むということが防止できる。
【００１６】
また、曲線移動に際し、曲線の曲率が小さいほど水平から大きく傾けられているので、ベルトに加わる応力が大きくなることが防げる。
【００１７】
なお、上述の実施の形態において、ベルトの上面が曲率中心側に向くように傾いている例について説明したが、反対にベルトの上面が曲率中心の反対側に向くように傾けても同様な効果が得られる。
さらに、左右の移動手摺りのベルトの上面の傾きの方向が異なっていても同様な効果が得られる。
【図面の簡単な説明】
【００１８】
【図１】この発明の実施の形態に係わる移動手摺りを上方から概観した概観図である。
【図２】図１のＡ−Ａ断面線により断面された移動手摺りの断面図である。
【図３】図１のＢ−Ｂ断面線により断面された移動手摺りの断面図である。
【図４】図１のＣ−Ｃ断面線により断面された移動手摺りの断面図である。
【符号の説明】
【００１９】
１  移動手摺り、２  マンコンベア、３  入口部、４  出口部、５  入口直線部、６  曲線部、７  出口直線部、１０  ベルト、１１  ハンドレール、１２  デッキボード、１３  （デッキボードの）上面、１４  （ハンドレールの）支持部、１５  （ハンドレールの）案内部、１６  （案内部の）上面、１７  （ベルトの）上面。
【図１】
2005306597.tif 000003
【図２】
2005306597.tif 000004
【図３】
2005306597.tif 000005
【図４】
2005306597.tif 000006